(57)【特許請求の範囲】
【請求項１】
データ供給装置から番組のデータおよび各種指示を受信する受信手段と、
前記受信した番組のデータを、識別情報を有する放送データに変換する作成手段と、
前記放送データをデータ受信装置に送出する送出手段とを備え、
第１の番組のデータを受信すると、前記第１の番組のデータを第１の識別情報を有する第１の放送データに変換して送出し、
第２の番組の登録指示を受信すると、前記第２の番組のデータを受信して予め登録し、
前記第１の放送データを送出中に前記第２の番組の送出指示を受信すると、前記送出中の放送データが有する前記第１の識別情報を取得し、前記第１の識別情報から一意に定まる第２の識別情報を生成し、前記第２の番組のデータを前記第２の識別情報を有する第２の放送データに変換し、前記第１の放送データの送出を停止し、前記第２の識別情報から特定される前記第２の放送データの送出を開始し、
前記第２の放送データを送出中に前記第２の番組の停止指示を受信すると、前記送出中の放送データが有する前記第２の識別情報を取得し、前記第２の識別情報から一意に定まる前記第１の識別情報を生成し、前記第２の放送データの送出を停止し、前記第１の識別情報から特定される前記第１の放送データの送出を再開する、データ放送送出装置。
【請求項２】
データ放送送出装置によって、
データ供給装置から第１の番組のデータを受信し、第１の識別情報を有する第１の放送データに変換して送出するステップと、
第２の番組の登録指示を受信すると、前記データ供給装置から前記第２の番組のデータを受信して予め登録するステップと、
前記第１の放送データを送出中に前記第２の番組の送出指示を受信すると、前記送出中の放送データが有する前記第１の識別情報を取得し、前記第１の識別情報から一意に定まる前記第２の識別情報を生成し、前記第２の番組のデータを前記第２の識別情報を有する第２の放送データに変換し、前記第１の放送データの送出を停止し、前記第２の識別情報から特定される前記第２の放送データの送出を開始するステップと、
前記第２の放送データを送出中に前記第２の番組の停止指示を受信すると、前記送出中の放送データが有する前記第２の識別情報を取得し、前記第２の識別情報から一意に定まる前記第１の識別情報を生成し、前記第２の放送データの送出を停止し、前記第１の識別情報から特定される前記第１の放送データの送出を再開するステップと
を含むデータ放送送出方法。
【発明の詳細な説明】
【０００１】
【発明の属する技術分野】
本発明は、データ放送送出装置及びデータ放送送出方法に関する。詳しくは、放送番組を提供している各放送番組供給装置からネットワークを介してデータ放送送出装置に臨時番組を送り、現在放送中の放送番組との差し替えを任意のタイミングで行うことができるデータ放送送出装置及びデータ放送送出方法に関する。
【０００２】
【従来の技術】
従来よりアナログ波により放送番組を送出しているアナログ放送システムでは、例えば、地震情報や不体裁放送（番組）発生時のお詫び放送など臨時に発生する放送番組を放送する場合、複数のＶＴＲや映像ソースを用意しておき、各放送システム（放送局）がスイッチにより切り替え（選択）操作を行うことで、通常の放送番組であるコンテンツ（以下、通常番組とする）と臨時の放送番組（以下、臨時番組とする）であるコンテンツとの差し替えが行われ、また、同様の差し替え操作により臨時の放送番組→通常の放送番組への復帰を行う。
【０００３】
【発明が解決しようとする課題】
しかしながら、デジタル放送において臨時番組を放送する場合、例えば、衛星デジタル放送などでは、１つのトランスポンダ（中継器）を複数のチャンネル（サービス）で共用している為、トランスポンダからの電波、即ち、トランスポートストリームに含まれている或る１つのチャンネル（サービス）に対する通常番組と臨時番組との切り替えが、他のチャンネル（サービス）に影響を及ぼすような運用があってはならないので、アナログ放送システムのように単純にスイッチ操作による放送番組の差し替えを行うことができない。
【０００４】
そこで、あるチャンネル（サービス）において臨時番組を放送する時は、ＡＲＩＢ（Ａｓｓｏｃｉａｔｉｏｎ  ｏｆ  Ｒａｄｉｏ  ｉｎｄｕｓｔｒｉｅｓ  ｎａｄ  Ｂｕｓｉｎｅｓｓｅｓ）により定められた規格に従い、通常番組と臨時番組との差し替え（切り替え／復帰）を行っている。例えば、通常番組の放送中にある臨時番組への切り替えを行う時、臨時番組の直前に放送している通常番組が有する放送番組情報の所定の値を取得し、取得した値に”１”加算した値を臨時番組の放送番組情報の値とすることにより臨時番組への切り替えを行う。そして、臨時番組を終了して通常番組へ復帰する時には、臨時番組が有する放送番組情報の所定の値を取得し、元の値に戻すことにより通常番組への復帰が行われる。
【０００５】
つまり、放送番組送出の編成情報を予め修正することによって臨時番組を挿入することになり、番組送出の編成情報を修正するには、修正可能な期間が定まっており、事前に修正する時間や内容を特定しなければならないので、臨時番組を事前にデータ放送の送信システム側に送っておかなければならないので、通常番組と臨時番組とをスイッチなどで切り替えるような仕組みでリアルタイムに挿入／復帰することができない。したがって、急遽臨時番組を挿入することができず、リアルタイム性が損なわれてしまうため臨時放送や不体裁番組発生時のお詫びコンテンツの送出ができないという問題がある。
【０００６】
又、このような臨時番組への差し替えを各チャンネルが任意に行う場合には、データ放送を送出するシステム側でチャンネル毎に切り替え用の装置を設けなければならず、莫大な設備投資が必要になってしまうという問題もある。
【０００７】
従って、デジタル放送によるデータ放送において、コンテンツ（放送番組）を提供している各放送番組供給装置からデータ放送送出装置に対して臨時番組を送り、現在放送中の放送番組と臨時番組との差し替え（切り替え／復帰）を任意のタイミングで行うことができるようにすることに解決しなければならない課題を有する。
【０００８】
【課題を解決するための手段】
前記課題を解決するため、本発明に係るデータ放送送出装置及びデータ放送送出方法は次のような構成にすることである。
【０００９】
（１）送出データ供給装置からデジタル放送のデータ放送によるデジタルデータを受信して送出するデータ放送送出装置であって、前記送出データ供給装置で作成されたデジタルデータを受信する受信手段と、前記受信手段で受信したデジタルデータを登録する登録手段と、前記登録手段により登録した複数のデジタルデータの中から所定のデジタルデータを送出する送出手段と、を備え、前記送出手段は、前記受信手段から該送出手段において送出する第１のデジタルデータを切り替えて第２のデジタルデータを送出するための送出切り替え信号を受信すると、該受信した送出切り替え信号に応答して送出している前記第１のデジタルデータを切り替えて前記第２のデジタルデータを送出することを特徴とするデータ放送送出装置。
（２）前記送出手段は、前記受信手段から該送出手段において送出する第１のデジタルデータを切り替えて第２のデジタルデータを送出するための送出切り替え信号を受信すると、該受信した送出切り替え信号に応答して、送出している前記第１のデジタルデータを切り替えて前記第２のデジタルデータを送り出し、前記受信手段から前記第２のデジタルデータを切り替えて前記第１のデジタルデータを送出するための送出切り替え信号を受信すると、該受信した送出切り替え信号に応答して、前記送出している第２のデジタルデータを切り替えて前記切り替えた第１のデジタルデータを送出することを特徴とする（１）に記載のデータ放送送出装置。
（３）デジタル放送のデータ放送で放送するコンテンツをコンテンツ供給装置から受信して送出するデータ放送送出装置であって、前記コンテンツ供給装置で作成されたコンテンツを受信する受信手段と、前記受信手段で受信したコンテンツを登録する登録手段と、前記コンテンツ供給装置からの切り替え指示に従って、送出中のコンテンツである第１のコンテンツを前記登録手段により登録されているコンテンツである第２のコンテンツに切り替えて送り出し、前記コンテンツ供給装置からの復帰指示に従って、前記送出中の第２のコンテンツから前記切り替えた第１のコンテンツに復帰させて送出する送出手段と、を備えていることを特徴とするデータ放送送出装置。
【００１０】
（４）送出データ供給装置からデジタル放送のデータ放送によるデジタルデータを受信して送出するデータ放送送出装置において、前記送出データ供給装置で作成されたデジタルデータを受信して登録し、前記データ放送送出装置において送出する第１のデジタルデータを切り替えて第２のデジタルデータを送出するための送出切り替え信号を受信すると、該受信した送出切り替え信号に応答して、送出している前記第１のデジタルデータを切り替えて前記第２のデジタルデータを送出することを特徴とするデータ放送送出方法。
（５）送出データ供給装置からデジタル放送のデータ放送によるデジタルデータを受信して送出するデータ放送送出装置において、前記送出データ供給装置で作成されたデジタルデータを受信して登録し、前記データ放送送出装置から送出する第１のデジタルデータを切り替えて第２のデジタルデータを送出するための送出切り替え信号を受信すると、該受信した送出切り替え信号に応答して、送出している前記第１のデジタルデータを切り替えて前記第２のデジタルデータを送り出し、前記第２のデジタルデータを切り替えて前記第１のデジタルデータを送出するための送出切り替え信号を受信すると、該受信した送出切り替え信号に応答して、前記送出している第２のデジタルデータを切り替えて前記切り替えた第１のデジタルデータを送出することを特徴とするデータ放送送出方法。
（６）デジタル放送のデータ放送で放送するコンテンツをコンテンツ供給装置から受信して送出するデータ放送送出装置において、前記コンテンツ供給装置で作成されたコンテンツを受信して登録し、前記コンテンツ供給装置からの切り替え指示に従って、送出中のコンテンツである第１のコンテンツを前記登録されているコンテンツである第２のコンテンツに切り替えて送り出し、前記コンテンツ供給装置からの復帰指示に従って、前記送出中の第２のコンテンツから前記切り替えた第１のコンテンツに復帰させて送出することを特徴とするデータ放送送出方法。
【００１１】
このようなデータ放送送出装置及びデータ放送送出方法によって、コンテンツ（放送番組）を提供している各コンテンツ供給装置からネットワークを介してデータ放送送出装置に臨時の放送番組（コンテンツ）を送出して登録し、現在放送中の放送番組である第１のコンテンツと、臨時の放送番組である第２のコンテンツとの差し替え（切り替え／復帰）を任意のタイミングで行うことが可能となる。
【００１２】
【発明の実施の形態】
次に、本発明に係るデータ放送送出装置及びデータ放送送出方法の実施の形態を図面を参照して説明する。
【００１３】
図１は、デジタル放送によるデータ放送の送受信システムであり、放送番組＝コンテンツを作成して提供する番組供給事業者の放送番組供給システム１００と、放送番組供給システム１００から送られてくるコンテンツ（放送番組）を衛星通信等の通信ネットワークを介して受信システム３００に送出する放送事業者のデータ放送送信システム２００と、通信ネットワークを介して送られてくるコンテンツ（放送番組）を受信して再生する受信システム３００とから構成される。
【００１４】
放送番組供給システム１００は、放送事業者のデータ放送送信システム２００に対して、臨時に放送する放送番組であるコンテンツ（以下、臨時番組）を送出する臨時番組送出部１１０と、臨時番組の登録／送出／停止などの差し替え指示を任意のタイミングで行う差替指示部１２０とを具備し、専用回線等のネットワーク４００を介して放送局のデータ放送送信システムと常時接続されている。
【００１５】
データ放送送信システム２００は、データ受信部２１０と、データ生成部２２０と、データ送出部２３０と、送信アンテナ２４０とを具備しており、専用回線等のネットワーク４００を介して放送番組供給システム１００と常時接続されている。
【００１６】
データ受信部２１０は、放送番組供給システム１００から送られてくるコンテンツ（放送番組）を受信してデータ作成部２２０に送る。又、放送番組供給システム１００（の差替指示部１２０）からの臨時番組との差し替え指示（登録／送出／停止指示）などを常時監視し、データ作成部２２０に通知する機能を備えている。
【００１７】
データ作成部２２０は、データ受信部２１０から送られてくるコンテンツ（放送番組）をＭＰＥＧフォーマットに従いデータ放送で送出できる形式（ＴＳパケット）に変換してデータ送出部２３０へ送る。又、データ受信部２１０を介して放送番組供給装置（の差替指示部１２０）から送られてくる臨時番組の登録／送出／停止指示などに従い、現在送出中の放送番組情報を参照して、臨時番組をＭＰＥＧフォーマットに従いデータ放送で送出できる形式（ＴＳパケット）に変換し、データ送出部２３０へする。
【００１８】
データ送出部２３０は、データ受信部２１０を介して放送番組供給装置１００（の差替指示部１２０）から送られてくる差し替え指示に従ってデータ作成部２２０で生成された臨時番組（コンテンツ）と現在送出中の通常番組との差し替え（切り替え／復帰）を行い、放送番組をトランスポートストリームとし、送信アンテナ２４０を介して衛星２５０にアップロードする。衛星２５０は、送信アンテナ２４０を介してアップロードされたトランスポートストリームを中継して受信システム３００に送出する。臨時番組（コンテンツ）と現在送出中の通常番組との差し替えは、ＡＲＩＢ（Ａｓｓｏｃｉａｔｉｏｎ  ｏｆ  Ｒａｄｉｏ  ｉｎｄｕｓｔｒｉｅｓ  ｎａｄ  Ｂｕｓｉｎｅｓｓｅｓ）により定められた規格に従い行う。
【００１９】
受信システム３００は、衛星２５０からのデータ放送を受信する受信アンテナ３１０と、受信したデータ放送を再生して画面表示する受信機３００から構成される。尚、データ放送の送受信は、衛星を利用したものでなく、地上波や有線ネットワークを利用することも可能であることは勿論である。
【００２０】
このようなデータ放送送受信システムにおいて、任意のタイミングで臨時に放送したい所望のコンテンツ（放送番組）への差し替えを行い、臨時の放送番組が終了すると通常の放送番組に復帰する時の動作について説明する。
【００２１】
まず、送信システム２００のデータ作成部２２０では、通常、予め編成された番組編成情報に従って、放送番組供給システム１００から送られてくるコンテンツ（放送番組）をデータ受信部２１０で受信し、ＭＰＥＧフォーマットに従いデータ放送で送出できる形式（ＴＳパケット）に変換してデータ送出部２３０へ送る。そして、通常の放送番組であるコンテンツ（以下、通常番組という）の更新か否かを確認し、通常番組が更新される場合は、更新される通常番組を上述同様にデータ作成部２２０でＭＰＥＧフォーマットに従いデータ放送で送出できる形式（ＴＳパケット）に変換してデータ送出部２３０へ送り、更新されない場合は、次の更新指示の監視を続ける（ＳＴ１０、１１）。
【００２２】
一方で、放送番組供給システム１００（の差替指示部１２０）からの臨時番組の登録／送出／停止指示などを常時監視する。
【００２３】
送信システム２００では、一方で、現在送出中のコンテンツ（放送番組）の終了確認を行い、終了の場合はコンテンツ（放送番組）の送出を終了する（ＳＴ１２、１３）。現在送出中のコンテンツ（放送番組）が終了でない場合、通常番組を更新するか否かを確認する（ＳＴ１２、１４）。そして、通常番組を更新する場合は、データ作成部２２０から送られてくるコンテンツ（放送番組）を送り出し（ＳＴ１５、１６）、更新でない場合は、現在のコンテンツ（放送番組）を継続して送出する（ＳＴ１４、１６）。
【００２４】
続いて、臨時番組の送出指示の有無を確認し、送出指示がない場合は、再び現在送出中のコンテンツ（放送番組）の終了確認を行い、続いて、通常番組の更新か否かを確認し、通常番組の送出を継続する（ＳＴ１７→ＳＴ１２〜１６）。
【００２５】
一方、データ放送送信システムのデータ受信部２１０では、放送番組供給システム１００（の差替指示部１２０）からの臨時番組の登録／送出／停止指示などを常時監視を行っている（ＳＴ２０）。そして、放送番組供給装置１００（の差替指示部１２０）から送られてくる臨時番組の登録指示を検知すると、放送番組供給システム１００から臨時番組を受信し、データ作成部２２０へ送る。データ作成部２２０は、データ受信部２１０から送られてくる臨時番組の登録（＝送出準備）を行い、放送番組供給システム１００（の差替指示部１２０）から送られてくる臨時番組の送出指示を待機する（ＳＴ２１、２２）。
【００２６】
そして、データ受信部２１０で臨時番組の送出指示を検知すると、現在送出中の通常番組の放送番組情報を参照し、データ作成部２２０で臨時番組をＭＰＥＧフォーマットに従いデータ放送で送出できる形式（ＴＳパケット）に変換し、データ送出部２３０へする（ＳＴ２２、２３、２４）。
【００２７】
データ送出部２３０は、臨時番組の送出指示があった場合、データ作成部２２０で生成された臨時番組を現在放送中の通常放送と差し替えてデータ送出部２３０から送出する（ＳＴ２４→ＳＴ１７、ＳＴ１８）。続いて、臨時番組の停止指示、即ち、通常番組への復帰指示の確認する（ＳＴ１９）。停止指示がない場合は、臨時番組の送出を継続して停止指示の確認を続ける（ＳＴ１８、ＳＴ１９）。停止指示があった場合は、臨時番組の送出を停止して、直前に放送していた通常番組に復帰して送出を開始し、通常番組の放送を続ける（ＳＴ１９→ＳＴ１２〜１７）。
【００２８】
データ送出部２３０から送出される通常番組及び臨時番組は、トランスポートストリームとして送信アンテナ２４０を介して衛星２５０にアップロードされ、衛星２５０により中継されて受信システム３００に送られる。
【００２９】
受信システム３００は、受信アンテナ３１０で衛星２５０からのデータ放送を受信すると、受信したデータ放送を受信機３００で再生して画面表示する。
【００３０】
このような方法による通常番組と臨時番組との差し替え（切り替え／復帰）の具体的な実施例について図３を参照しながら説明する。
【００３１】
図３（ａ）は、不体裁番組発生を回避する場合であり、放送番組Ａの番組枠で、通常番組であるコンテンツＡを放送中に不備が発生すると、放送番組供給システム１００が臨時番組としてお詫び番組を作成して、登録／送出指示を送信システム２００へ送る。送信システム２００では、放送番組供給システム１００からお詫び番組を受信し、放送番組供給システム１００からの登録／送出指示に従い、お詫び番組のコンテンツを作成し、現在放送中のコンテンツＡの送出を中止してお詫びコンテンツを送出する。そして、お詫びコンテンツを放送している間に不具合を除去し、不具合除去が終了すると放送番組供給システム１００からの停止（復帰）指示に従い、お詫びコンテンツの送出を中止し、通常番組であるコンテンツＡと差し替えて送出を再開する。
【００３２】
図３（ｂ）は、地震や台風などの気象情報や災害情報等の臨時放送を行う場合であり、放送番組Ｂの番組枠で、通常番組であるコンテンツＢを放送中に地震が発生すると、放送番組供給システム１００が臨時番組として地震情報を作成して、登録／送出指示を送信システム２００へ送る。送信システム２００では、放送番組供給システム１００から地震情報を受信し、放送番組供給システム１００からの登録／送出指示に従い、地震情報のコンテンツを作成し、現在放送中のコンテンツＢの送出を中止して地震情報のコンテンツを送出する。そして、地震情報のコンテンツを所定時間放送すると、放送番組供給システム１００から停止（復帰）指示を行う。送信システム２００は、放送番組供給システム１００から送られてきた停止（復帰）指示に従い、地震情報のコンテンツの送出を中止し、通常番組であるコンテンツＢと差し替えて送出を再開する。尚、気象情報や災害情報等の臨時放送の場合は、送出するコンテンツの雛形を準備しておき、その文言等を差し替えて送出するようにしておいても良い。
【００３３】
図３（ｃ）は、放送番組中にプレゼントを行う場合に合言葉（キーワード）情報を放送するような場合であり、放送番組Ｃの番組枠で、通常番組であるコンテンツＣを放送中に、放送番組の進行状況に応じて合言葉が発生すると、放送番組供給システム１００が臨時番組として合言葉情報を作成して、登録／送出指示を送信システム２００へ送る。送信システム２００では、放送番組供給システム１００から合言葉情報を受信し、放送番組供給システム１００からの登録／送出指示に従い、合言葉情報のコンテンツを作成する。そして、この合言葉を所望の時間に時間限定で放送するため放送番組供給システム１００から送出／停止（復帰）指示を繰り返す。送信システム２００は、放送番組供給システム１００の送出／停止（復帰）指示に従い、現在放送中のコンテンツＣの送出中に合言葉情報のコンテンツの送出／停止（＝差し替え）を繰り返すことにより、合言葉が所望の時間に時間限定で放送される。
【００３４】
【発明の効果】
以上説明したように、デジタル放送によるデータ放送において、各放送番組供給装置からデータ放送送出装置に対して臨時に放送したい臨時番組（コンテンツ）を作成して送り出し、任意のタイミングで臨時番組と現在送出中の通常番組との差し替え（切り替え／復帰）を行うことができるので、災害情報や不体裁番組発生時のお詫びコンテンツ等の急遽発生する臨時番組を送出する場合に、事前に修正する時間や内容を特定しなくてもよくなり、リアルタイムに差し替えを行うことが可能となる。又、データ放送送出装置側では、各放送番組供給装置ごとに臨時番組の差し替え用の設備を設けなくてもよいというメリットがある。
【図面の簡単な説明】
【図１】本発明に係るデータ放送送出方法によるデジタル放送のデータ放送送受信システムの構成を略示的に示した概略図である。
【図２】本発明に係るデータ放送送出装置及びデータ放送送出方法の臨時番組と通常番組との切り替え／復帰の手順を示したフローチャートである。
【図３】本発明に係るデータ放送送出方法を利用した具体例を略示的に示した説明図である。
【符号の説明】
１００；放送番組供給装置、１１０；臨時番組送出部、１２０；差替指示部、２００；送信システム、２１０；データ受信部、２２０；データ作成部、２３０；データ送出部、２４０；送信アンテナ、２５０；衛星、３００；受信システム、３１０；受信アンテナ、３２０；受信機、４００；ネットワーク
【図１】
0004534394.tif 000002
【図２】
0004534394.tif 000003
【図３】
0004534394.tif 000004